(57)【特許請求の範囲】
【請求項１】
共通の開口端面に複数の単位収納スペースを開口させた収納棚と、
収納棚の開口端面側に臨設され、フォークを収納棚の開口端面内に挿入させて荷物を収納棚に対して出し入れするピッキング装置とを具備するものであって、
当該収納棚が、フレームと、当該フレームに対して着脱可能に構成した棚要素とを有し、
前記ピッキング装置が、収納棚の開口端面の任意の位置に移動するヘッドを備えており、そのヘッドが前記フォークと、このフォークの基端側に位置させた荷物の一側を係止するための位置決め壁と、その位置決め壁に荷物を押し付けて荷物を位置決め保持するための幅寄せ部材と、収納棚の開口端面を越えて進入させたフォークの先端部を前記開口端面から後退させる際に、フォーク上の荷物の後退を阻止して落下させるためのそぎ落とし部材とを具備してなり、
前記幅寄せ部材の動きを利用して前記そぎ落とし部材を作動させ得るように構成していることを特徴とする貯蔵設備。
【請求項２】
前記フレームが棚取付杆を有し、棚取付杆が、高さ方向に等間隔に形成された棚要素取付部を有するものとしている請求項１記載の貯蔵設備。
【請求項３】
前記フレームが、棚要素の中間位置を幅方向に区画し得る区画杆を有するものとしている請求項１又は２記載の貯蔵設備。
【発明の詳細な説明】
【技術分野】
【０００１】
本発明は、ピッキング装置によって荷物を収納棚に出し入れすることにより、荷物の入荷及び出荷を行うことができる貯蔵設備に関するものである。
【背景技術】
【０００２】
従来、収納棚の開口端面に沿って走行し得るピッキング装置が収納棚に格納された荷物を取り出し、しかる後、その荷物を所定箇所に載置することによって、当該所定箇所から荷物を出荷する貯蔵設備が種々提案されている（例えば、特許文献１参照）。
【０００３】
そして収納棚の構成は、フレームに各棚要素が、例えば所定の間隔で剛結されたものとなっており、例えば支柱や棚要素によって区成されたそれぞれ同じ容量を有する収納スペース毎に荷物を格納し得るものとなっている。そして、これら収納スペースはそれぞれ出荷量の異なる出荷先に対して関連付けられたものとなっており、出荷先の出荷量に応じて関連付ける収納スペースの数を調整することによって出荷量が異なるそれぞれの出荷先に対応し得るものとしている。
【特許文献１】特開２００４−３４５８３８号公報
【発明の開示】
【発明が解決しようとする課題】
【０００４】
しかしながら、上述したようなものでは、収納棚を据付けようとした場合、それぞれの棚要素の取り付けには、当該棚要素をフレームに対して剛結するための、例えばビス止めといった工程を含めて多くの工数を要するものとなっている。そのため、収納棚自体の据付けには多大な時間並びに労力が掛かっているのが現状である。その上、例えばこれまでよりも大きな荷物を扱う場合や他の仕様変更によって収納スペースの大きさを変更する場合には、収納棚全体又は大部分を分解し、新たに支柱や棚要素を組立直すことによって変更しなければならず、迅速な仕様の変更や収納スペースの容量の変更には対応し難いものとなっているのが現状である。
【０００５】
本発明は、このような不具合に着目したものであり、区成された収納スペースの容量を容易に変更し得る貯蔵設備を提供する。
【課題を解決するための手段】
【０００６】
本発明は、このような目的を達成するために、次のような手段を講じたものである。すなわち、本発明に係る貯蔵設備は、共通の開口端面に複数の単位収納スペースを開口させた収納棚と、収納棚の開口端面側に臨設され、フォークを収納棚の開口端面内に挿入させて荷物を収納棚に対して出し入れするピッキング装置とを具備するものであって、当該収納棚が、フレームと、当該フレームに対して着脱可能に構成した棚要素とを有する。
【０００７】
このようなものであれば、棚要素をフレームに剛結するためのビス止め等の工程を省くことができるので、棚要素をフレームに取り付けるための工数を大幅に省くことができる。そうすることにより収納棚の組立を有効に簡略化することが可能となる。その結果、収納棚の組付けにかかる時間及び労力を大幅に削減し、簡便且つ迅速な収納棚の据付けを実現することができる。さらに、これまでよりも大きな荷物を扱う場合や他の仕様変更によって収納スペースの大きさを変更する場合にも、迅速に対応することができる。また所要の棚要素を取り外すことにより、単位収納スペースの容量を上下方向に大きくすることができるので、出荷先に必要な出荷量に応じた容量に設定することができる。
【０００８】
そして棚要素を取り外して単位収納スペースの容量を上下方向に大きくした場合でも、特に有効に単位収納スペースを利用するために本発明は、ピッキング装置を、収納棚の開口端面の任意の位置に移動するヘッドを備えたものとし、そのヘッドが前記フォークと、このフォークの基端側に位置させた荷物の一側を係止するための位置決め壁と、その位置決め壁に荷物を押し付けて荷物を位置決め保持するための幅寄せ部材と、収納棚の開口端面を越えて進入させたフォークの先端部を前記開口端面から後退させる際に、フォーク上の荷物の後退を阻止して落下させるためのそぎ落とし部材とを具備してなり、前記幅寄せ部材の動きを利用して前記そぎ落とし部材を作動させ得るように構成していることを特徴とする。
【０００９】
そして、より正確に単位収納スペースの容量を設定するためには、前記フレームが棚取付杆を有し、棚取付杆が、高さ方向に等間隔に形成された棚要素取付部を有するものとすることが望ましい。
【００１０】
そして、さらに正確に単位収納スペースの容量を調節するためには、フレームを、棚要素の中間位置を幅方向に区画し得る区画杆を有するものとすることが好ましい。
【発明の効果】
【００１１】
本発明によれば、棚要素をフレームに取り付けるための工数を大幅に省くことができるので、収納棚の組立を有効に簡略化することが可能となる。その結果、収納棚の組付けにかかる時間及び労力を大幅に削減し、簡便且つ迅速な収納棚の据付けを実現することができる。加えて、これまでよりも大きな荷物を扱う場合や他の仕様変更によって収納スペースの大きさを変更する場合にも、迅速に対応することができる。また所要の棚要素を取り外すことにより、単位収納スペースの容量を上下方向に大きくすることができるので、出荷先に必要な出荷量に応じた容量に設定することが可能である。
【発明を実施するための最良の形態】
【００１２】
以下、本発明の一実施形態を、図面を参照して説明する。
【００１３】
図１に示す実施形態は上流側コンベアIIにより順次搬入される荷物Ｎを自動格納機能を有した複数組の貯蔵設備Iに格納し、必要に応じてその貯蔵設備Iから導出させた荷物Ｎを搬出ステーションIIIからトラックＴに受け渡すことができるようにしたものである。なお、前記荷物Ｎとしては、チラシ等の紙葉類を複数枚束ね結束したものを想定している。
【００１４】
前記各貯蔵設備Iは、図２及び図３に示すように、開口端面Ｓａを対向させて配置した対をなす収納棚Ｓ１、Ｓ２と、その収納棚Ｓ１、Ｓ２間に配設したピッキング装置Ｐと、このピッキング装置Ｐに対して荷物Ｎの受け渡しを行うための搬出入装置Ｑとを具備してなる。
【００１５】
収納棚Ｓ１、Ｓ２は、図１、図２、図３及び図５に示すように、収納棚Ｓ１、Ｓ２の構造枠としての役割を担うフレーム１と、このフレーム１に装着した複数枚の棚要素３とを具備してなり、共通の開口端面Ｓａに前記各棚要素３上にそれぞれ形成される複数の単位収納スペースＳｂを開口させている。すなわち、これらフレーム１と複数枚の棚要素３とによって同一の開口端面Ｓａに開口し縦横に配列される多数の単位収納スペースＳｂを形成している。
【００１６】
フレーム１は、図２、図３、図５及び図６に示すように、フレーム１の主体をなすフレーム本体１ａと、棚要素３を取り付けるための棚取付杆１ｂと、棚要素３によって上下方向に区画された空間をさらに区画するための区画杆１ｃとを有している。
【００１７】
フレーム本体１ａは、図３に示すように、棚要素３の上下に亘って起立する支柱１ａ１と、水平方向に亘って延出する梁１ａ２とを互いに強固に結合してなるものであり、開口端面Ｓａとは反対側に設けた支柱１ａ１には棚取付杆１ｂを取り付けるとともに、梁１ａ２によって、棚取付杆１ｂ並びに区画杆１ｃを支持したものとなっている。
【００１８】
棚取付杆１ｂは、図３、図５及び図６に示すように、棚要素３を着脱可能に支持するためのものであり、棚要素３の後端部を支持する第１の取付杆１ｂ１と、当該第１の取付杆１ｂ１に対して所定間隔離間させて設けた第２の取付杆１ｂ２と、上述の通り第１の取付杆１ｂ１と第２の取付杆１ｂ２とを所定間隔離間させるための図３に示す介在杆１ｂ７とを有している。そして第１の取付杆１ｂ１及び第２の取付杆１ｂ２にはそれぞれ本発明の棚要素取付部である第１の当接突起１ｂ３及び第２の当接突起１ｂ４を上下方向に等間隔離間させて複数設けている。これら第１の当接突起１ｂ３及び第２の当接突起１ｂ４はそれぞれ上下方向に反転させた形状となっており、第１の当接突起１ｂ３の下向当接面１ｂ５と第２の当接突起１ｂ４の上向当接面１ｂ６とによって棚要素３を当接支持するものとしている。
【００１９】
区画杆１ｃは、図３、図５及び図６に示すように、図示しない上端を梁１ａ２によって支持されて、一端側が開口端面Ｓａより例えば約１０ｍｍといった、わずかに突出させた状態で下方へ垂下させたものであり、棚要素３の中間位置に延伸することにより棚要素３上の空間を幅方向に等分することによって、棚要素３とともに単位収納スペースＳｂを構成し得るものであるとともに、この区画杆１ｃはピッキング装置Ｐに取り付けた後述する収納棚位置検知センサ８７が単位収納スペースＳｂの左右方向の位置を認識するためのドグとなっている。また、区画杆１ｃは棚要素３の収納棚Ｓ１、Ｓ２の最上段の棚要素３と最下段の棚要素３、さらには中間の棚要素３を含む数点で固定されており、他の棚要素３も区画杆通過部３ｂ３を貫通させることで上下の棚要素３同士を幅方向に相互に位置決めすることによって、組立精度を容易に確保している。
【００２０】
棚要素３は、図３、図５及び図６に示すように、幅方向中央付近に形成した間隙３ａと、格納する荷物Ｎを載置するための複数の支持板３ｂと、支持板３ｂの基端部を例えば溶接によって接続するための接続板３ｃとを有している。
【００２１】
間隙３ａは、図５及び図６に示すように、それぞれの支持板３ｂ間に所定の間隔を設けることにより、ピッキング装置Ｐのフォーク５３を上下方向に通過させ得るように形成したものであり、具体的には図６に示すように、後述するメインフォーク５３ａを通過させ得る第１間隙３ａ１と、後述するサブフォーク５３ｂを通過させ得る第２間隙３ａ２とからなるものである。そしてこれら第１間隙３ａ１及び第２間隙３ａ２の幅寸法は、メインフォーク５３ａ及びサブフォーク５３ｂの幅寸法よりもそれぞれ２０ｍｍ大きく設定したものとなっている。すなわちメインフォーク５３ａ及びサブフォーク５３ｂが第１間隙５３ａ及び第２間隙５３ｂを通過する際には、メインフォーク５３ａ及びサブフォーク５３ｂの両側に、それぞれ１０ｍｍずつ余裕ができるものとなっている。そして当該間隙３ａにより、棚要素３は、荷物Ｎを載せたフォーク５３を上方に位置させた後に、垂直に降下させて間隙３ａを通過させることによってフォーク５３上の荷物Ｎを棚要素３上に載置させることができるとともに、棚要素３上の荷物Ｎを取り出す際には間隙３ａ直下にフォーク５３を位置させた後、フォーク５３を垂直に上昇させて間隙３ａを通過させることにより、フォーク５３上に荷物Ｎを載せることができるものとなっている。
【００２２】
支持板３ｂは、図５及び図６に示すように、それぞれ幅方向の寸法を異ならせた断面視下向きに開口させたチャネル状に複数設けたものであり、開口端面Ｓａに対して面一に形成した前端面３ｂ１と、荷物Ｎを載置し得る上面３ｂ２と、上述した区画杆１ｃを上下方向に通過させるために前端面３ｂの一部を凹ませることにより設けた区画杆通過部３ｂ３とを有している。なお上述の通り、最上段の棚要素３と最下段の棚要素３、さらには中間の何れかの棚要素３の前端面３ｂ１においては図示した区画杆通過部３ｂ３の箇所において区画杆１ｃと棚要素３とを固定する構成となっているが、斯かる構成の詳細な説明並びに図示は省略するものとする。
【００２３】
接続板３ｃは、支持板３ｂの後端部に当接している上起立板部３ｃ１と、支持板３ｂの下端に対して下方から接している水平板部３ｃ２と、水平板部３ｃ２の前端を下方に屈曲させて設けた下起立板部３ｃ３とを有しているものである。そして接続板３ｃは、上起立板部３ｃ１及び水平板部３ｃ２における所定位置において支持板３ｂを、例えばスポット溶接により接合することにより、各支持板３ｂを接続したものである。
【００２４】
ピッキング装置Ｐは、図５、図７乃至図１２に示すように、荷物Ｎを前記収納棚Ｓ１、Ｓ２に対して出し入れするためのヘッド５と、このヘッド５を前記収納棚Ｓ１、Ｓ２の開口端面Ｓａに沿って上下左右に作動させるためのヘッド駆動手段７とを具備してなる。
【００２５】
ヘッド駆動手段７は、前記収納棚Ｓ１、Ｓ２間に配設した床レール９と、この床レール９と平行に設けた天井レール１１との間に設けられたもので、床レール９上を走行する走行部１３と、この走行部１３上に立設され上端部を天井レール１１に移動可能に支持させた移動支柱１５と、この移動支柱１５に昇降可能に支持させたヘッド５を上下方向に移動させるための昇降部１７とを具備してなる。
【００２６】
走行部１３は、車輪１９を介して前記床レール９上を左右方向に走行する架台２１と、この架台２１上に設けられ前記車輪１９を回転駆動する走行用駆動機構２３とを具備してなる。
【００２７】
移動支柱１５は、例えばアルミ押し出し材製のもので、前記架台２１に剛結してある。具体的には、角パイプ状の支柱本体２５と、この支柱本体２５の両側面に突設した案内突条２７とを備えてなる。
【００２８】
昇降部１７は、前記移動支柱１５の上端部に設けた滑車２９と、一端を前記ヘッド５に接続し他端側を前記滑車２９を介して架台２１上に導かれたワイヤ３１と、このワイヤ３１の他端側を巻き取りあるいは繰り出して前記ヘッド５を昇降させるウィンチ３３と、このウィンチ３３を正逆駆動するためのウィンチ駆動機構３５とを具備してなる。
【００２９】
前記ヘッド５は、前記移動支柱１５に昇降可能に支持されたベース３７と、このベース３７上に搭載されたフォーク部３９と、このフォーク部３９に隣接させて前記ベース３７上に設けられた幅寄せ部４１と、この幅寄せ部４１に関連させて前記ベース３７上に配設されたそぎ落とし部４３とを具備してなる。
【００３０】
前記ベース３７は、縦フレーム４５と、この縦フレーム４５から突出させた横フレーム４７とを備えてなる。
【００３１】
縦フレーム４５は、前記移動支柱１５の案内突条２７の両面を挟持する対をなす第１の案内輪４９と、前記移動支柱１５の案内突条２７の先端に転接する第２の案内輪５１とを複数組有し、これら案内輪４９、５１を介して前記移動支柱１５に昇降可能に装着されている。
【００３２】
横フレーム４７は、縦フレーム４５の下端部から片持ち的に突出させたもので、縦フレーム４５に剛結されている。
【００３３】
フォーク部３９は、荷物Ｎを積載可能なフォーク５３と、このフォーク５３を進退動作させるためのフォーク駆動機構５５と、フォーク５３上の荷物Ｎをフォーク５３に対して移動させるための荷物位置変更機構５７とを具備してなる。
【００３４】
フォーク５３は上述の通り、全ての荷物Ｎを支持するためのメインフォーク５３ａと、このメインフォーク５３ａよりも幅寸法が小さいサブフォーク５３ｂとからなるものである。
【００３５】
フォーク駆動機構５５は、モータ５５ａを正逆駆動させることにより、前記フォーク５３を、フォーク５３の一方の先端部を一方の収納棚Ｓ１内に挿入する第１の挿入位置αと、フォーク５３の他方の先端部を他方の収納棚Ｓ２内に挿入する第２の挿入位置βと、フォーク５３をそれらの挿入位置α、βの中間に設定した収納棚Ｓ１、Ｓ２外の中立位置γとの間で作動させるものである。具体的には、フォーク駆動機構５５は、前記ヘッド５のベース３７に取り付けた基台５５ｂと、この基台５５ｂ上に収納棚Ｓ１、Ｓ２方向へスライド可能に配された第１の中間スライダ５５ｃと、この第１の中間スライダ５５ｃ上に収納棚Ｓ１、Ｓ２方向へスライド可能に配された第２の中間スライダ５５ｄとを備え、この第２の中間スライダ５５ｄ上に前記フォーク５３を収納棚Ｓ１、Ｓ２方向にスライド可能に支持させたものである。そして、このフォーク駆動機構５５は、モータ５５ａの駆動力で前記基台５５ｂに対して前記第１の中間スライダ５５ｃを進退動作させるスライダ駆動機構５５ｅと、前記基台５５ｂに対する前記第１の中間スライダ５５ｃの動きを利用して前記第２の中間スライダ５５ｄを前記第１の中間スライダ５５ｃに対して作動させる第１の連動機構５５ｆと、前記第２の中間スライダ５５ｄの動きを利用して前記フォーク５３を前記第２の中間スライダ５５ｄに対して作動させる第２の連動機構５５ｇとをさらに備えたものである。
【００３６】
前記基台５５ｂは、例えば平板状のもので、ベース３７の対をなす横フレーム４７上に固設されている。基台５５ｂは、その上面に収納棚Ｓ１、Ｓ２の開口端面Ｓａに対して突没する方向に延びる案内レール５５ｂ１を備えている。
【００３７】
前記第１の中間スライダ５５ｃは、例えば平板状のもので、前記基台５５ｂ上に配されている。この第１の中間スライダ５５ｃは、スライドベアリング５５ｃ１を介して前記基台５５ｂの案内レール５５ｂ１にスライド可能に支持されている。この第１の中間スライダ５５ｃは、その上面に収納棚Ｓ１、Ｓ２の開口端面Ｓａに対して突没する方向に延びる案内レール５５ｃ２を備えている。
【００３８】
前記第２の中間スライダ５５ｄは、例えばブロック状のスライダ本体５５ｄ１と、このスライダ本体５５ｄ１上に設けた鍔部５５ｄ２とを備えたもので、前記第１の中間スライダ５５ｃ上に配設されている。この第２の中間スライダ５５ｄは、下部スライドベアリング５５ｄ３を介して前記第１の中間スライダ５５ｃの案内レール５５ｃ２にスライド可能に支持されている。そして、この第２の中間スライダ５５ｄの鍔部５５ｄ２上に、上部スライドベアリング５５ｄ４を介して前記メインフォーク５３ａ及び前記サブフォーク５３ｂをそれぞれスライド可能に支持させている。
【００３９】
前記第１の中間スライダ５５ｃを駆動するためのスライダ駆動機構５５ｅは、ベース３７の横フレーム４７間に位置させて前記基台５５ｂの下面に装着したモータ５５ａと、このモータ５５ａの出力軸に装着した駆動プーリ５５ｅ２と、前記基台５５ｂに軸着した複数の案内プーリ５５ｅ３と、これらプーリ５５ｅ２、５５ｅ３に架け渡したタイミングベルト５５ｅ４とを備えてなるもので、このタイミングベルト５５ｅ４の特定箇所と前記第１の中間スライダ５５ｃとをブラケット５５ｅ５を介して接続したものである。
【００４０】
第２の中間スライダ５５ｄを第１の中間スライダ５５ｃに対して作動させるための第１の連動機構５５ｆは、第１の中間スライダ５５ｃの両端部に軸着した対をなすプーリ５５ｆ１と、これらプーリ５５ｆ１間に架け渡したタイミングベルト５５ｆ２と、このタイミングベルト５５ｆ２の下側所定箇所を基台５５ｂに接続するためのブラケット５５ｆ３とを具備してなるもので、前記タイミングベルト５５ｆ２の上側所定箇所を第２の中間スライダ５５ｄに接続している。
【００４１】
第１の中間スライダ５５ｃに対して第２の中間スライダ５５ｄの倍の速度でフォーク５３を作動させるための第２の連動機構５５ｇは、前記第２の中間スライダ５５ｄに軸着され一体回転可能な対をなすピニオンギア５５ｇ１と、第１の中間スライダ５５ｃに固設され前記ピニオンギア５５ｇ１に噛合する下部ラック５５ｇ２と、フォーク５３に固設され前記ピニオンギア５５ｇ１に噛合する上部ラック５５ｇ３とを具備してなる。
【００４２】
荷物位置変更機構５７は、前記フォーク５３が収納棚Ｓ１、Ｓ２外にある際には図８に示すように前記荷物Ｎをフォーク５３の中央基端部に位置させ、前記フォーク５３が収納棚Ｓ１、Ｓ２の開口端面Ｓａ内に挿入される際に図１０及び図１２に示すように前記荷物Ｎをフォーク５３の先端側に位置させるためのものである。すなわち、この荷物位置変更機構５７は、図８に示すように、前記フォーク５３が前記中立位置γにある際に荷物Ｎをフォーク５３の中央基端部に位置させ、図１０及び図１２に示すように、前記フォーク５３が前記第１の挿入位置α、第２の挿入位置βにある際に荷物Ｎをフォーク５３の一方の先端部又は他方の先端部にそれぞれ位置させ得るように構成したものである。具体的には、この荷物位置変更機構５７は、フォーク５３の上面を通過して正逆動作する荷物支持ベルト５７ａを備え、フォーク５３の進退動作を利用して荷物支持ベルト５７ａを正逆動作させるものである。詳述すれば、荷物支持ベルト５７ａは、メインフォーク５３ａ、サブフォーク５３ｂの両端部にそれぞれ対をなして設けたプーリ５７ｂ間に架け渡したものである。この荷物支持ベルト５７ａは、ブラケット５７ｃを介して所定箇所を第２の中間スライダ５５ｄに接続している。
【００４３】
幅寄せ部４１は、前記フォーク５３の中央基端部に位置させた荷物Ｎの一側を係止するための位置決め壁５９と、その位置決め壁５９に荷物Ｎを押し付けて荷物Ｎを位置決め保持するための幅寄せ部材６１と、この幅寄せ部材６１を駆動させるための幅寄せ部材駆動機構６３とを具備してなる。具体的には、前記ヘッド５のベース３７に案内シャフト６５ａを有した固定フレーム６５を固着するとともに、この固定フレーム６５の案内シャフト６５ａにスライドベアリング６７ａを介して可動フレーム６７を位置決め壁５９に接離する方向に進退可能に設け、その可動フレーム６７の前進端に前記幅寄せ部材６１を立設している。
【００４４】
前記位置決め壁５９は、前記ベース３７のメインフォーク５３ａよりも移動支柱１５寄りの箇所に起立させて設けたものである。
【００４５】
前記幅寄せ部材６１は、櫛歯状のもので、その前縁で荷物Ｎの側面を前記位置決め壁５９に接近する方向に押圧し得るようにしたもので、前記可動フレーム６７とともに進退するようになっている。
【００４６】
前記幅寄せ部材駆動機構６３は、前記固定フレーム６５に設けたモータ６３ａと、このモータ６３ａの出力軸に装着した駆動プーリ６３ｂと、この駆動プーリ６３ｂに対応させて固定フレーム６５に軸着した案内プーリ６３ｃと、これらプーリ６３ｂ、６３ｃ間に架け渡したタイミングベルト６３ｄとを備えてなるもので、前記タイミングベルト６３ｄの特定箇所を前記可動フレーム６７に接続している。
【００４７】
そぎ落とし部４３は、収納棚Ｓ１、Ｓ２内に進入させた前記フォーク５３の先端部を収納棚Ｓ１、Ｓ２外に後退させる際に、フォーク５３上の荷物Ｎを収納棚Ｓ１、Ｓ２内にとどめておくためのそぎ落とし部材６９と、このそぎ落とし部材６９を駆動するそぎ落とし部材駆動機構７１とを具備してなる。前記そぎ落とし部材６９は、前記幅寄せ部材６１の動きを利用して作動させるようにしたものである。具体的には、前記幅寄せ部４１の可動フレーム６７にそぎ落とし部材支持フレーム７３を固設し、このそぎ落とし部材支持フレーム７３の両外方端部に対をなすスライドロッド６９ａをそれぞれ外方へ突没可能に設け、これらスライドロッド６９ａの外方端に前記そぎ落とし部材６９を取着している。スライドロッド６９ａは、引っ張りコイルスプリング等の弾性部材６９ｂによりスライドロッド６９ａが内方へ没入する方向に付勢されている。すなわち、対をなすスライドロッド６９ａの内方端間にスライドロッド６９ａを連結する連結部材６９ｃを設け、この連結部材６９ｃを前記弾性部材６９ｂにより内方に牽引している。
【００４８】
そぎ落とし部材駆動機構７１は、前記固定フレーム６５に設けたカム面７１ａと、前記可動フレーム６７が正規の可動範囲δを超えて前進した際に、前記カム面７１ａに案内されて外方に案内されるカムフォロア７１ｂとを具備してなり、前記カムフォロア７１ｂを前記連結部材６９ｃに軸着したものである。ここで可動フレーム６７の「正規の可動範囲δ」とは、フォーク５３上の荷物Ｎを幅寄せ部材６１により押圧するための可動範囲である。すなわち、正規の可動範囲δとは、図１１及び図１２に示すように、前記カムフォロア７１ｂが始点εから押圧終点ζに至る範囲をいう。そして、荷物Ｎがフォーク５３により収納棚Ｓ１、Ｓ２内に持ち出されて位置決め壁５９に対応する部位に荷物Ｎが無い状態で前記幅寄せ部材６１を正規の可動範囲δを超えて前進させることができるようになっている。図１２に示すように、正規の可動範囲δを超えて幅寄せ部材６１を最前進させた位置、すなわちカムフォロア７１ｂが図１１及び図１２に示す幅寄せ点ηに達した位置では前記そぎ落とし部材６９がフォーク５３の上方であってこのそぎ落とし部材６９の外側面６９ｄが収納棚Ｓ１、Ｓ２の開口端面Ｓａの近傍位置又は開口端面Ｓａよりも若干収納棚Ｓ１、Ｓ２内に進入した位置に達するように前記カム面７１ａの形状を設定している。
【００４９】
一方、搬出入装置Ｑは、一方の収納棚Ｓ１の開口端面Ｓａに沿わせて設けた投入コンベア７５と、この投入コンベア７５の途中に設けた受取コンベア７７と、他方の収納棚Ｓ２の開口端面Ｓａに沿わせて設けた出荷コンベア７９とを具備してなる。
【００５０】
投入コンベア７５は、前記上流側コンベアIIから分岐させたもので、上流側コンベアIIから受け取った荷物Ｎを受取コンベア７７に向けて搬送するためのものである。具体的には、投入コンベア７５は一方の収納棚Ｓ１の下部に配設されたもので、コンベアフレーム７５ａ間に多数個の駆動ローラ７５ｂを架設したものである。駆動ローラ７５ｂは、一定以上の負荷が掛かった場合には停止するように構成された通常のものである。なお、この実施形態では、投入コンベア７５の受取コンベア７７よりも下流側の部位を正逆送可能に構成し、その部位に待機中の荷物Ｎを仮置きしておくようにしている。すなわち投入コンベア７５のうち受取コンベア７７より上流側の部位が待機中の荷物Ｎで満杯になった場合は、受取コンベア７７をスルーさせ、投入コンベア７５のうち受取コンベア７７よりも下流側の部位に荷物Ｎを待機させ、上流側の待機中の荷物Ｎがなくなった際に下流側の部位の投入コンベア７５を逆送させ待機中の荷物Ｎを受取コンベア７７に供給するようにしている。
【００５１】
受取コンベア７７は、図４に示すように、投入コンベア７５により搬入された荷物Ｎをピッキング装置Ｐに受け渡すためのもので、ピッキング装置Ｐの可動範囲の略中央に配置されている。この実施形態では、２台のピッキング装置Ｐを共通の床レール９上に配し、収納棚Ｓ１、Ｓ２の一方の片半部をなす第１の収納可能領域イと、収納棚Ｓ１、Ｓ２の他方の片半部をなす第２の収納可能領域ロとを設定し、それら各収納可能領域イ、ロにそれぞれピッキング装置Ｐを対応させている。そして、前記受取コンベア７７はこれら各収納可能領域イ、ロの略中央にそれぞれ配されている。具体的には、受取コンベア７７は、コンベアフレーム７７ａと、このコンベアフレーム７７ａ内に架設した正逆回転可能な複数の駆動ローラ７７ｂと、コンベアフレーム７７ａの上流端及び下流端にそれぞれ出没可能に設けた上流側ストッパ７７ｃ、下流側ストッパ７７ｄと、前記駆動ローラ７７ｂ上に前記下流側ストッパ７７ｄにより係止された荷物Ｎを持ち上げるリフタ７７ｅとを具備してなる。また、この受取コンベア７７には、位置決め用突起７７ｆが出没可能に設けられ、受取コンベア７７上において位置決め用突起７７ｆに接離する方向に進退動作可能な位置決め押圧部材７７ｇによって、受取コンベア７７上の荷物Ｎを位置決め用突起７７ｆに向けて押し出すようにしてある。受取コンベア７７上の荷物Ｎは、下流側ストッパ７７ｄと、前記位置決め用突起７７ｆとにより位置決めされるようになっており、位置決め状態においてリーダ７７ｈにより、荷物Ｎに付与されたバーコード等の識別子のデータを読み取ることができるようにしてあり、このリーダ７７ｈにより読み取った識別子に対応する単位収納スペースＳｂに前記ピッキング装置Ｐを用いてその荷物Ｎを収納するようにしている。前記リフタ７７ｅは、ピッキング装置Ｐのフォーク５３を荷物Ｎの下面側に挿入させ得る位置までその荷物Ｎを持ち上げることができるようになっている。なお、図４では、上流側ストッパ７７ｃ、下流側ストッパ７７ｄ、リフタ７７ｅ、位置決め用突起７７ｆをそれぞれ上方へ突出させた状態を想像線で示している。
【００５２】
出荷コンベア７９は、他方の収納棚Ｓ２の開口端面Ｓａに沿わせて収納可能領域イ、ロの略全域に亘って設けられ、荷物Ｎを搬出ステーションIIIに向けて搬送し収納棚Ｓ１、Ｓ２外へ排出するものである。具体的には、出荷コンベア７９は他方の収納棚Ｓ２の下部に配設されたもので、コンベアフレーム７９ａ間に多数個の駆動ローラ７９ｂを架設したものである。なお、出荷コンベア７９は、ローラコンベアではなく、ベルトコンベアであってもよい。
【００５３】
この実施形態では、出荷コンベア７９を、リーダ７７ｈにより識別子のデータを読み取ることができなかった荷物Ｎや、データを読み取ったが別の貯蔵設備Iの収納棚Ｓ１、Ｓ２に収納すべき荷物Ｎや、許容以上に斜めになっており収納に支障を来す状態の荷物Ｎ等を直ちに排出するキャンセルコンベアとしても利用している。
【００５４】
前述したように、この実施形態における貯蔵設備Iは、対をなす収納棚Ｓ１、Ｓ２間にピッキング装置Ｐを配し、一方の収納棚Ｓ１側に投入コンベア７５と受取コンベア７７を配するとともに他方の収納棚Ｓ２側に出荷コンベア７９を配してなるものであり、かかる構成をなす貯蔵設備Iを複数組並列に設置している。
【００５５】
前記貯蔵設備Iの上流側には、例えば図示しない結束機により複数枚の紙葉類を束ねてなる荷物Ｎを順次搬入するための前記上流側コンベアIIが配されている。この上流側コンベアIIの各貯蔵設備Iに対応する部位には分岐点がそれぞれ設定されており、これら各分岐点に投入コンベア７５へ荷物Ｎを搬入するための搬入用分岐コンベア８１がそれぞれ接続されている。上流側コンベアIIの各分岐点には、該上流側コンベアII上の各荷物Ｎを対応する搬入用分岐コンベア８１に受け渡すための図示しない選別機構が配されている。選別機構は、各荷物Ｎに付されたデータに対応する指令信号により作動し、上流側コンベアII上の各荷物Ｎを、データに対応する搬入用分岐コンベア８１上に分流させる役割をなす。選別機構の構成は通常のものであるため説明を省略する。
【００５６】
前記貯蔵設備Iの下流側には、前記貯蔵設備Iから搬出される荷物ＮをトラックＴ等に受け渡すための搬出ステーションIIIが設置されている。搬出ステーションIIIには、始端を各貯蔵設備Iの出荷コンベア７９に接続してなる搬出コンベア８３がそれぞれ配されており、これら各搬出コンベア８３により搬出される荷物Ｎを対応するトラックＴ等に積載するようになっている。
【００５７】
次いで、この実施形態の作動を説明する。
【００５８】
例えば、図示しない結束機により複数枚の紙葉類を束ねてなる荷物Ｎが、上流側コンベアIIにより順次搬入される。この上流側コンベアIIにより搬入される各荷物Ｎは、選別機構の働きにより固有のデータに対応する分岐点において搬入用分岐コンベア８１に移され、対応する貯蔵設備Iの投入コンベア７５に受け渡される。
【００５９】
投入コンベア７５に渡された荷物Ｎは、一方の収納棚Ｓ１の下部を通って受取コンベア７７に到達し下流側ストッパ７７ｄにより係止され、該受取コンベア７７上に待機させられる。その際に位置決め用突起７７ｆが上動して受取コンベア７７上に出現し、位置決め押圧部材７７ｇにより前記荷物Ｎを位置決め用突起７７ｆに押し付けて位置決めする。この位置決め状態において、リーダ７７ｈがその荷物Ｎに付された識別子のデータを読み取り、別に設けた荷物高さ計測機構７７ｉで荷物Ｎを高さを計測し、図示しない制御部に向けて識別子のデータと高さデータとを出力する。各荷物Ｎの収納すべき収納棚Ｓ１、Ｓ２は予め決められており、識別子のデータ及び高さデータを受け取った制御部は、そのデータにより、予め決められている収納すべき収納棚Ｓ１、Ｓ２のどの単位収納スペースＳｂに収納するのかを特定する。単位収納スペースＳｂを特定した場合には、ピッキング装置Ｐに向けて、その荷物Ｎを受取コンベア７７からピッキングして特定した単位収納スペースＳｂに収納すべき旨の収納指令信号を出力する。すなわち、そのデータによりその荷物Ｎを収納すべき単位収納スペースＳｂを特定した場合、また、先に荷物Ｎが収納されている場合は、先の荷物Ｎの高さデータとこれから収納しようとする荷物Ｎの高さデータから、フォーク５３の厚さと収納時の先の荷物Ｎの上面との隙間及び上の棚要素３との隙間を考慮し、収納可能な単位収納スペースＳｂを特定した場合には、ピッキング装置Ｐに向けて、その荷物Ｎを受取コンベア７７からピッキングして特定した単位収納スペースＳｂに収納すべき旨の収納指令信号を出力する。このとき指定されるヘッド５の停止高さ位置は当該棚要素３の高さ位置に相当する高さであるが、荷物Ｎを先の荷物Ｎの上に段積みする場合は、制御部に入力されている先の荷物Ｎの高さに加え、フォーク５３の厚さ及び収納時に確保すべき隙間分を加えた高さが指定される。なお、ピッキングする前に正確な荷物Ｎの高さが判明するため、段積みする場合は事前に単位収納スペースＳｂが特定できない。したがって、先に荷物Ｎが収納されている場合においては、先の荷物Ｎの高さデータとこれから収納しようとする荷物Ｎの高さデータから、フォーク５３の厚さと収納時の先の荷物Ｎの上面との隙間及び上の棚要素３との隙間を考慮し、収納可能な単位収納スペースＳｂを特定することにしている。また、上述の手順によって単位収納スペースＳｂを特定し、その単位収納スペースＳｂに荷物Ｎを収納した場合、制御部にその旨（識別子のデータ、すなわち荷物名、及び高さデータ）を出力し、制御部では単位収納スペースＳｂ毎に如何なる荷物Ｎが収納されているかを示す収納荷物データ、及びその単位収納スペースＳｂに収納されている一又は複数の荷物Ｎの総高さデータを蓄積・保管し、次の段積みや出荷時の荷物Ｎの特定に対応するようにしている。一方、制御部が、リーダ７７ｈから送られたデータにより収納すべき単位収納スペースＳｂを特定できないと判断した場合には、ピッキング装置Ｐに向けて、その荷物Ｎを受取コンベア７７からピッキングし、キャンセルコンベアとしても機能する出荷コンベア７９上に直ちに移送すべき旨の排出指令信号を出力する。なお、投入コンベア７５上に複数の荷物Ｎが次々に搬入される場合には、上流側ストッパ７７ｃを突出させて受取コンベア７７上の荷物Ｎ以外の荷物Ｎを係止させ、投入コンベア７５上に待機させる。
【００６０】
制御部から収納指令信号が出力された場合には、受取コンベア７７のリフタ７７ｅが上昇して荷物Ｎの下方にスペースが形成されるとともに、ピッキング装置Ｐのヘッド５が受取コンベア７７に対応する位置にまで移動して、そのヘッド５のフォーク５３が前記スペースに進入する。しかる後に、リフタ７７ｅが下降し、上昇前の位置に戻すことで、荷物Ｎがフォーク５３上に載置される。当然、ヘッド５が若干上昇してリフタ７７ｅ上の荷物Ｎがフォーク５３上に載置されてもよい。ただし、リフタ７７ｅが下降した方が荷物Ｎをキャンセルライン、例えば出荷コンベア７９に排出する場合に、ヘッド５の昇降なしにフォーク５３の出し入れと幅寄せ部４１の動きで、そぎ落としするだけで排出が可能となり、短時間に排出が可能となる。フォーク５３は荷物Ｎを保持した状態で中立位置γに復帰する。フォーク５３が中立位置γに復帰すると、後述するような荷物位置変更機構５７の働きによって、荷物Ｎの載置位置がフォーク５３の先端側から中央基端側に変更され、ピッキング装置Ｐの中央に位置することになる。この状態で、幅寄せ部４１が作動し、その荷物Ｎを幅寄せ部材６１により位置決め壁５９に押し付けて位置決めする。これによって荷物Ｎはフォーク５３上の正規の位置に幅寄せされるとともに、落下や位置ずれが生じないように挟圧保持される。この状態で、ピッキング装置Ｐの昇降部１７と走行部１３とが作動してヘッド５が、当該ピッキング装置Ｐが担当する収納可能領域イ又はロの範囲内で上下左右に移動する。そして、そのヘッド５が、データにより特定された単位収納スペースＳｂに対応する位置で停止する。しかる後に、幅寄せ部４１による荷物Ｎの拘束が解除されるとともに、前記フォーク５３が収納棚Ｓ１、Ｓ２の開口端面Ｓａ内にまで進入する。その結果、フォーク５３に載置された荷物Ｎが当該単位収納スペースＳｂの棚要素３上に位置させられる。そして、幅寄せ部４１を位置決め壁５９方向に前進させ、そぎ落とし部材６９を所定の位置にセットし、フォーク５３を引き抜くことにより荷物Ｎのそぎ落とし、前記棚要素３上に載置する。当然、ヘッド５が若干降下してフォーク５３上の荷物Ｎが前記棚要素３上に載置してもよい。その後、前記フォーク５３が中立位置γに復帰して収納作業を終了する。以上の動作を繰り返して、投入コンベア７５から受取コンベア７７上に搬入される荷物Ｎを、そのデータに対応する収納棚Ｓ１、Ｓ２の単位収納スペースＳｂに収納する。
【００６１】
一方、制御部から排出指令信号が出力された場合には、受取コンベア７７上の荷物Ｎが、前述の作動に準じたピッキング装置Ｐの働きにより、直ちに出荷コンベア７９上に搬送され、この出荷コンベア７９により貯蔵設備I外に排出される。排出された荷物Ｎは、搬出ステーションIIIの搬出コンベア８３の途中に設けた排出用分岐コンベア８５等に案内され所要の箇所に移される。なお、フォーク５３の先端側に支持された荷物Ｎを出荷コンベア７９上に移し変える際には、後述するようにそぎ落とし部４３が作動し、そぎ落とし部材６９により荷物Ｎを出荷コンベア７９上に係止させつつフォーク５３を抜き取るように中立位置γまで後退させる。
【００６２】
次いで、搬出ステーションIIIの対応する搬出コンベア８３の搬出端にトラックＴが到着し、特定の荷物Ｎを貯蔵設備Iから出荷する必要が生じた場合には、搬出コンベア８３脇に設けた図示しないタッチパネルにより荷物Ｎを選択することによって制御部に出荷要望が伝えられ、制御部からピッキング装置Ｐに向けて出荷指令信号が出力される。
【００６３】
制御部から出荷指令信号が出力された場合には、ピッキング装置Ｐが作動してそのヘッド５が出荷すべき荷物Ｎが貯蔵されている単位収納スペースＳｂに対面する位置まで移動し、収納時と逆の動作により棚要素３上の荷物Ｎをフォーク５３上に載せ、中央位置で挟圧保持する。その状態で例えばピッキング装置Ｐの昇降部１７が作動し、荷物Ｎを保持したヘッド５が出荷コンベア７９に対応する位置まで上下移動する。しかる後に、キャンセル時と同様な動作によりヘッド５のフォーク５３上に載置された荷物Ｎを出荷コンベア７９に受け渡し、出荷作業を終了する。なお、本実施形態に示す貯蔵設備Iは、制御部に予めプログラムされた自動運転モードに基づき制御部から出力される各指令信号を受けて各部が作動するものであるが、その制御手法は通常のものであるため説明は省略する。
【００６４】
ここで、フォーク部３９の作動について詳細に説明する。
【００６５】
図８に示す中立位置γにおいては、フォーク５３の両先端が各収納棚Ｓ１、Ｓ２の開口端面Ｓａと一定の距離をなしており、ヘッド５は両収納棚Ｓ１、Ｓ２間を自在に移動することができるようになっている。そして、モータ５５ａを正逆回転させることによって、このフォーク５３を図１０に示す第１の挿入位置α又は図１２に示す第２の挿入位置βにまで移動させることができるようになっている。
【００６６】
中立位置γから第１の挿入位置αへ移動させる際の作動について説明すれば、次のようである。先ず、モータ５５ａが正方向（Ｘ方向）に回転すると、スライダ駆動機構５５ｅの働きにより第１の中間スライダ５５ｃが図中右方にスライドする。第１の中間スライダ５５ｃが図中右方にスライドすると、第１の連動機構５５ｆの働きにより第２の中間スライダ５５ｄが第１の中間スライダ５５ｃに対して図中右方にスライドする。第２の中間スライダ５５ｄが図中右方にスライドすると、第２の連動機構５５ｇの働きによりフォーク５３が第２の中間スライダ５５ｄに対して図中右方にスライドし、そのフォーク５３が収納棚Ｓ１、Ｓ２の開口端面Ｓａを超えて単位収納スペースＳｂ内に進入する。
【００６７】
具体的に説明すれば、フォーク駆動機構５５のモータ５５ａを作動させて駆動プーリ５５ｅ２を回転させると、スライダ駆動機構５５ｅのタイミングベルト５５ｅ４が正方向に移動し、このタイミングベルト５５ｅ４の上部が図中右方に移動する。その結果、このタイミングベルト５５ｅ４の上部に接続された第１の中間スライダ５５ｃがそのタイミングベルト５５ｅ４とともに図中右方にスライドする。第１の中間スライダ５５ｃが図中右方にスライドすると、前記第１の連動機構５５ｆのタイミングベルト５５ｆ２が正方向に移動する。すなわち、このタイミングベルト５５ｆ２は、下部が基台５５ｂに固定されているため、タイミングベルト５５ｆ２の上部は第１の中間スライダ５５ｃのスライド移動速度の倍速で図中右方に移動する。その結果、このタイミングベルト５５ｆ２の上部に固定された第２の中間スライダ５５ｄがスライドする。第２の中間スライダ５５ｄが図中右方に移動すると、この第２の中間スライダ５５ｄに軸装された対をなすピニオンギア５５ｇ１が同一の速度で移動する。これらのピニオンギア５５ｇ１の下側は、第１の中間スライダ５５ｃに設けた下部ラック５５ｇ２に噛合させてあるとともに、上側はフォーク５３に設けた上部ラック５５ｇ３に噛合させてあるため、ピニオンギア５５ｇ１が図中右方に自転しつつ移動すると、下部ラック５５ｇ２を足場にして上部ラック５５ｇ３に一体化されたフォーク５３が第２の中間スライダ５５ｄの移動速度の倍の速度で第１の中間スライダ５５ｃに対して図中右方に移動する。
【００６８】
フォーク５３は以上のようにして中立位置γから第１の挿入位置αに移動する。フォーク５３を中立位置γから第２の挿入位置βに移動させるには、モータ５５ａを逆方向（Ｙ方向）に回転させればよい。
【００６９】
次に荷物位置変更機構５７について詳細に説明する。
【００７０】
フォーク５３が中立位置γから第１の挿入位置αに移動する際に、フォーク５３の両端に軸着されたプーリ５７ｂ間に架け渡した荷物支持ベルト５７ａの上部がフォーク５３に対して図中右方に移動する。すなわち、この荷物支持ベルト５７ａの下部はブラケット５７ｃを介して第２の中間スライダ５５ｄに接続されているため、第２の中間スライダ５５ｄに対してフォーク５３が図中右方に移動すると、荷物支持ベルト５７ａの上部がそのフォーク５３よりも速い速度で図中右方に移動することになる。
【００７１】
フォーク５３が中立位置γから第２の挿入位置βへ移動するには、これに準じた作動により荷物支持ベルト５７ａの上部がフォーク５３よりも速い速度で図中左方に移動することになる。
【００７２】
次に幅寄せ部４１の作動について詳細に説明する。
【００７３】
幅寄せ部４１は、中立位置γにあるフォーク５３上に荷物Ｎが載置されている場合に、正規の可動範囲δ内で幅寄せ部材６１を可動させて荷物Ｎの位置決め及び荷物Ｎの挟圧保持を行うものである。すなわち、この場合に、幅寄せ部材駆動機構６３のモータ６３ａを作動させてタイミングベルト６３ｄを正逆方向に移動させると、このタイミングベルト６３ｄの上部に接続された可動フレーム６７が固定フレーム６５に対してスライドし、この可動フレーム６７に支持された幅寄せ部材６１が位置決め壁５９に対して進退動作を行う。そのため、この幅寄せ部材６１を前進させて荷物Ｎを位置決め壁５９方向に押圧することにより、その荷物Ｎをフォーク５３上の正規位置に位置決めすることができる。そして、その押圧状態を維持することによりその荷物Ｎをヘッド５上に挟圧保持しておくことができる。
【００７４】
次にそぎ落とし部４３の作動について詳細に説明する。
【００７５】
このそぎ落とし部４３は、前記幅寄せ部４１の可動フレーム６７の動きを利用して作動するようにしたもので、可動フレーム６７を正規の可動範囲δを超えて位置決め壁５９方向に前進させることにより、このそぎ落とし部４３のそぎ落とし部材６９が作動するようになっている。詳述すれば、幅寄せ部４１の可動フレーム６７が正規の可動範囲δで進退している場合には、そぎ落とし部材６９は収納棚Ｓ１、Ｓ２方向に進退することはなく、またフォーク５３上に位置することもない。可動フレーム６７が正規の可動範囲δを超えて位置決め壁５９方向に前進すると、カムフォロア７１ｂがカム面７１ａに案内されることになり、可動フレーム６７の前進に伴ってカムフォロア７１ｂが漸次収納棚Ｓ１、Ｓ２に接近する方向に移動する。このカムフォロア７１ｂの動きは、このカムフォロア７１ｂを軸支する連結部材６９ｃ及びスライドロッド６９ａを介してそぎ落とし部材６９に伝えられることになり、カムフォロア７１ｂの動きに対応してそぎ落とし部材６９が収納棚Ｓ１、Ｓ２方向に移動する。また、このそぎ落とし部材６９は、可動フレーム６７の進退動作に伴って、位置決め壁５９に接近する方向にも移動するものであり、最終的には図１０及び図１２に示すようにフォーク５３の上方であって収納棚Ｓ１、Ｓ２の開口端面Ｓａ付近に設定されたそぎ落とし位置にまで達するようになっている。
【００７６】
このそぎ落とし部４３は、特定の単位収納スペースＳｂに荷物Ｎが予め収納されている状態でその先の荷物Ｎの上に次の荷物Ｎを積み重ねる場合に主として用いられる。すなわち、次の荷物Ｎを載置したフォーク５３を先の荷物Ｎの上面よりも若干高い位置に停止させ、その状態でフォーク５３を中立位置γから第１の挿入位置α又は第２の挿入位置βに移動させることによって、次の荷物Ｎが先の荷物Ｎの上方に位置付けられる。しかる後に幅寄せ部材６１を正規の可動範囲δを超えて前進させることにより、そぎ落とし部材６９が前記そぎ落とし位置に位置付けられる。この状態でフォーク５３を中立位置γに移動させると、荷物Ｎはそぎ落とし部材６９に阻止されて先の荷物Ｎの上方に留まるため、フォーク５３が荷物Ｎの下から抜き取られた段階で、次の荷物Ｎが先の荷物Ｎ上に積載されることになる。なお、先の荷物Ｎの上面は、受取コンベア７７の直前に設けた荷物高さ計測機構７７ｉにより事前に計測した荷物Ｎの高さデータにより特定される。その高さデータに基づいてヘッド５の位置を決定し、フォーク５３の単位収納スペースＳｂ内に挿入するが、ヘッド５に設けた荷物上端検知センサ９２で、事実、フォーク５３が先の荷物Ｎの上端面より上である、すなわちフォーク５３の高さには荷物Ｎが無いことを確認し、収納を開始する。また、このようにして多段積みした荷物Ｎを搬出する際には、多段積みしたままの状態でフォーク５３に載置して出荷コンベア７９に移動させるようにしている。さらに、このそぎ落とし部４３は、これに準じた作動により荷物Ｎを出荷コンベア７９上にそぎ落とす場合にも使用される。なお、ピッキング装置Ｐのヘッド５には、各単位収納スペースＳｂに収納されている荷物Ｎが収納棚Ｓ１、Ｓ２の開口端面Ｓａよりもピッキング装置Ｐ側にはみ出しているか否かを検知するための荷物収納位置検知手段たる荷物収納位置検知センサ９１、及び収納棚Ｓ１、Ｓ２に設けたドグとしての役割を担う上述した区画杆１ｃの位置を検知して収納棚Ｓ１、Ｓ２の単位収納スペースＳｂを認識するための収納棚位置検知センサ８７を設けている。さらに、ヘッド５には、単位収納スペースＳｂ内に既に荷物Ｎがあるか否かを検知する在荷検知センサ８９や、トラブル発生時のピッキング装置Ｐを手動で操作するためのモニター用カメラ９４を設けている。なお、荷物収納位置検知センサ９１の高さ位置は荷物上端検知センサ９２の高さ位置と異ならせている。
【００７７】
しかして本実施形態に係る貯蔵設備Iは、上述の通り、フレーム１に対して着脱可能に構成した棚要素３とを有することを特徴としている。ここで、フレーム１から棚要素３を着脱する際の手順について、図１３及び図１４を参照して説明する。
【００７８】
まず図１３に示すような、棚要素３を取り付けた状態において、第１の取付杆１ｂ１の第１の当接突起１ｂ３は、支持板３ｂの後端部において、上起立板部３ｃ１に近接するか、接した位置に位置付けられ、第１の当接突起１ｂ３の下向当接面１ｂ５は支持板３ｂ後端で上面３ｂ２に接した状態となっている。他方第２の取付杆１ｂ２の第２の当接突起１ｂ４は下起立板部３ｃ３に近接するか、接した位置に位置付けられ、第２の当接突起１ｂ４の上向当接面１ｂ６は接続板３ｃの水平板部３ｃ２前端に当接した状態となっている。なお、この状態において棚要素３に掛かる荷重は第１の取付杆１ｂ１を上方へ押し上げる方向の力と、第２の取付杆１ｂ２を下方へ押し下げる力として働くこととなる。そして第１の取付杆１ｂ１と第２の取付杆１ｂ２は上下方向に延伸して設けられているため、前記両取付杆１ｂ１、１ｂ２に係る力は厚み方向に直交する方向に掛かるため、両取付杆１ｂ１、１ｂ２を平板状のものとしても、大きな荷重に耐え得るものとなっている。また接続板３ｃの上起立板部３ｃ１と下起立板部３ｃ３は同図に示す状態においては、棚要素３の奥行き方向の位置決めを担うものとなっている。
【００７９】
そして棚要素３を当接突起１ｂ３、１ｂ４から取り外す際には図１４に示すように、棚要素３の先端側を持ち上げることにより、棚要素３を第２の当接突起１ｂ４を中心に回転させて第１の取付杆１ｂ１と上起立板部３ｃ１とを離間させることによって、容易に取り外すことができる。そして当接突起１ｂ３、１ｂ４は上下方向に所定の等間隔で設けられているため、棚要素３を取り外せば上下方向に略倍の寸法を有する単位収納スペースＳｂを形成できることになる。また、棚要素３が取り付けられていない他の当接突起１ｂ３、１ｂ４に棚要素３を取り付けることにより、任意の容量を有する単位収納スペースＳｂを形成することも可能である。
【００８０】
以上のように、本実施形態に係る貯蔵設備Iは、収納棚Ｓ１、Ｓ２が具備している棚要素３を着脱可能に構成しているので、棚要素３をフレーム１に剛結するためのビス止め等の工程を省くことができたものとなっている。すなわち、棚要素３をフレーム１に取り付けるための工数を大幅に省いたものとなっている。斯かる構成によって、収納棚Ｓ１、Ｓ２の組立工数を有効に削減し得たものとなっている。そしてその結果、収納棚Ｓ１、Ｓ２の組立にかかる時間及び労力を大幅に削減し、簡便且つ迅速な収納棚Ｓ１、Ｓ２の据付けを実現している。加えて、例えばこれまでよりも大きな荷物Ｎを扱う場合や他の仕様変更によって収納スペースの大きさを変更する場合にも迅速に対応することができる。また所要の棚要素３を取り外すことにより、単位収納スペースＳｂの容量を上下方向に大きくすることができるので、出荷先に必要な出荷量に応じた容量に単位収納スペースＳｂを設定することができる。
【００８１】
そして棚要素３を取り外して単位収納スペースＳｂの容量を上下方向に大きくした場合でも、収納棚Ｓ１、Ｓ２の開口端面Ｓａを越えて進入させたフォーク５３の先端部を出荷コンベア７９上から後退させる際に、フォーク５３上の荷物Ｎの後退を阻止して落下させるためのそぎ落とし部材６９を具備しているので、特に棚要素３間の上下間隔を大きくとった単位収納スペースＳｂに対しては荷物Ｎを積層することにより、有効に当該単位収納スペースＳｂを利用し得るものとなっている。
【００８２】
そして、より正確に単位収納スペースＳｂの容量を設定するために本実施形態では、前記フレーム１がフレーム本体１ａと棚取付杆１ｂとを有し、棚取付杆１ｂが、高さ方向に等間隔に形成された棚要素取付部たる当接突起１ｂ３、１ｂ４を有するものとしている。
【００８３】
そして、さらに本実施形態では、棚要素３の中間位置を幅方向に区画し得る区画杆１ｃを設けて、出荷先に合わせて正確に単位収納スペースＳｂの容量を調節し得るものとなっている。特に本実施形態では、この区画杆１ｃをピッキング装置Ｐに検知させることによって、ピッキング装置Ｐが正確な位置で作業し得るようになっている。
【００８４】
以上、本発明の実施形態について説明したが、各部の具体的な構成は、上述した実施形態のみに限定されるものではなく、本発明の趣旨を逸脱しない範囲で種々変形が可能である。
【００８５】
例えば、棚要素を着脱可能に取り付ける態様は、例えば支柱に直接取り付けたり、梁に対して取り付けたりするなど、種々の態様を採用することが可能である。棚要素取付部を設ける間隔は図示の間隔に限定されることはなく、任意の間隔に設けることが可能である。
【００８６】
その他、各部の具体的構成についても上記実施形態に限られるものではなく、本発明の趣旨を逸脱しない範囲で種々変形が可能である。
【図面の簡単な説明】
【００８７】
【図１】本発明の一実施形態に係る貯蔵設備を備えた貯蔵システム全体の模式的な平面図。
【図２】同実施形態に係る貯蔵設備の構成説明図。
【図３】同実施形態に係る貯蔵設備の模式的な正面図。
【図４】同実施形態に係る搬出入装置の要部を示す斜視図。
【図５】同実施形態に係るピッキング装置を示す斜視図。
【図６】同実施形態に係る収納棚の要部を示す斜視図。
【図７】同実施形態に係るピッキング装置の構成説明図。
【図８】同実施形態に係るピッキング装置の要部を示す正面図。
【図９】図７に示すピッキング装置の中央側断面図。
【図１０】図７に対応させて示すピッキング装置の動作説明図。
【図１１】同実施形態に係るピッキング装置の要部を示す平面図。
【図１２】図１０に対応させて示すピッキング装置の動作説明図。
【図１３】同実施形態に係る収納棚の要部を示す模式的な正面図。
【図１４】図１３に対応させて示す収納棚の作用説明図。
【符号の説明】
【００８８】
I…貯蔵設備
１…フレーム
１ｂ…棚取付杆
１ｂ３…棚要素取付部（第１の当接突起）
１ｂ４…棚要素取付部（第２の当接突起）
１ｃ…区画杆
３…棚要素
５…ヘッド
５３フォーク
６９…そぎ落とし部材
Ｎ…荷物
Ｐ…ピッキング装置
Ｓ１…収納棚（一方の収納棚）
Ｓ２…収納棚（他方の収納棚）
Ｓａ…開口端面
Ｓｂ…単位収納スペース
【図１】
0005363028.tif 000002
【図２】
0005363028.tif 000003
【図３】
0005363028.tif 000004
【図４】
0005363028.tif 000005
【図５】
0005363028.tif 000006
【図６】
0005363028.tif 000007
【図７】
0005363028.tif 000008
【図８】
0005363028.tif 000009
【図９】
0005363028.tif 000010
【図１０】
0005363028.tif 000011
【図１１】
0005363028.tif 000012
【図１２】
0005363028.tif 000013
【図１３】
0005363028.tif 000014
【図１４】
0005363028.tif 000015